【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
画面上に表示される表示アイテムに対する入力を行うことのできる入力部を備えた表示装置において、
前記表示アイテムに対する入力に基づく使用頻度に関する情報を記憶する使用頻度記憶手段と、
該使用頻度記憶手段に記憶された前記表示アイテムの使用頻度に関する情報に基づいて、前記表示アイテムの使用頻度が高いか否かを判断する使用頻度判断手段と、
該使用頻度判断手段により前記表示アイテムの使用頻度が高いと判断された場合、前記表示アイテムの表示形態を変更して表示する表示制御手段とを備えていることを特徴とする表示装置。
【請求項２】
前記使用頻度判断手段が、前記表示アイテムの使用頻度の累計デ−タに基づいて、使用頻度の高い表示アイテムか否かを判断するものであることを特徴とする請求項１記載の表示装置。
【請求項３】
前記表示アイテムの使用頻度の累計期間が記憶されている累計期間記憶手段と、
該累計期間記憶手段に記憶されている前記表示アイテムの使用頻度の累計期間が経過したか否かを判断する累計期間経過判断手段と、
該累計期間経過判断手段により前記表示アイテムの使用頻度の累計期間が経過したと判断された場合、前記使用頻度記憶手段に記憶されている前記表示アイテムの使用頻度の累計デ−タをクリアする累計デ−タクリア手段とを備えていることを特徴とする請求項２記載の表示装置。
【請求項４】
使用者が前記表示アイテムの使用頻度の累計期間を設定するための累計期間設定手段を備えていることを特徴とする請求項３記載の表示装置。
【請求項５】
前記使用頻度判断手段が、入力操作の行われた表示アイテムの使用頻度と画面上に表示される表示アイテムの使用頻度の平均値との差が、所定値以上に達したか否かにより使用頻度の高さを判断するものであることを特徴とする請求項１記載の表示装置。
【請求項６】
前記使用頻度判断手段が、画面上に表示される表示アイテムに対する入力操作の行われた表示アイテムの使用割合が、所定の割合以上に達したか否かにより使用頻度の高さを判断するものであることを特徴とする請求項１記載の表示装置。
【請求項７】
前記表示アイテムの表示形態が記憶されている表示形態記憶手段と、
該表示形態記憶手段から読み出された前記表示アイテムの表示形態の中から使用頻度の高い前記表示アイテムの表示形態として採用する前記表示アイテムを使用者が選択するための表示アイテム選択手段と、
該表示アイテム選択手段により選択された前記表示アイテムを使用頻度の高い前記表示アイテムの表示形態として登録するための表示アイテム登録手段とを備え、
前記表示制御手段が、前記表示アイテム登録手段により登録された前記表示アイテムを使用頻度の高い表示アイテムの表示に使用するものであることを特徴とする請求項１記載の表示装置。
【請求項８】
画面上に表示される操作釦及び該操作釦が格納されるフォルダに対する入力を行うことのできる入力部を備えた表示装置において、
前記操作釦に対する入力に基づく使用頻度に関する情報を記憶する使用頻度記憶手段と、
該使用頻度記憶手段に記憶された前記操作釦の使用頻度に関する情報に基づいて、前記操作釦の使用頻度が高いか否かを判断する使用頻度判断手段と、
該使用頻度判断手段により使用頻度が高いと判断された前記操作釦を格納するフォルダを選択して格納するフォルダ格納手段とを備えていることを特徴とする表示装置。
【請求項９】
画面上に表示されるフォルダに対する入力を行うことのできる入力部を備えた表示装置において、
前記フォルダに対する入力に基づく使用頻度に関する情報を記憶する使用頻度記憶手段と、
該使用頻度記憶手段に記憶された前記フォルダの使用頻度に関する情報に基づいて、前記フォルダの使用頻度が高いか否かを判断する使用頻度判断手段と、
該使用頻度判断手段により使用頻度が高いと判断された前記フォルダを優先して画面上に表示する表示制御手段とを備えていることを特徴とする表示装置。
【請求項１０】
前記表示制御手段は、前記表示アイテムの色、色調濃度、形状、大きさ、字体のうちの少なくとも何れか一つを変更して表示するものであることを特徴とする請求項１〜７のいずれかの項に記載の表示装置。
【手続補正２】
【補正対象書類名】明細書
【補正対象項目名】０００１
【補正方法】変更
【補正の内容】
【０００１】
【発明の属する技術分野】
本発明は表示装置に関し、より詳細には画面上に表示される表示アイテムに対
する入力を行うことのできる入力部を備えた表示装置に関する。
【手続補正３】
【補正対象書類名】明細書
【補正対象項目名】０００７
【補正方法】変更
【補正の内容】
【０００７】
【課題を解決するための手段及びその効果】
上記目的を達成するために本発明に係る表示装置（１）は、画面上に表示され
る表示アイテムに対する入力を行うことのできる入力部を備えた表示装置におい
て、前記表示アイテムに対する入力に基づく使用頻度に関する情報を記憶する使
用頻度記憶手段と、該使用頻度記憶手段に記憶された前記表示アイテムの使用頻
度に関する情報に基づいて、前記表示アイテムの使用頻度が高いか否かを判断す
る使用頻度判断手段と、該使用頻度判断手段により前記表示アイテムの使用頻度
が高いと判断された場合、前記表示アイテムの表示形態を変更して表示する表示
制御手段とを備えていることを特徴としている。
【手続補正４】
【補正対象書類名】明細書
【補正対象項目名】０００８
【補正方法】変更
【補正の内容】
【０００８】
上記表示装置（１）によれば、前記表示アイテムの使用頻度が高いと判断され
た場合には、前記表示アイテムの表示形態が変更して表示される、例えば、前記
表示アイテムの色、色調濃度、形状、大きさ、文字の字体等を変更して表示した
り、使用頻度が高いと判断された前記表示アイテムの使用頻度の順位に応じて色
を変更して表示したり、色調濃度を段階的に変化させて表示したりするので、使
用者は、使用頻度が高い前記表示アイテムを視覚的に容易に認識できるようにな
り、前記表示アイテムの見分けがつけやすくなり、入力操作をスム−ズに行うこ
とができ、入力部（例えば、タッチパネル部など）における操作性を向上させる
ことができる。
【手続補正５】
【補正対象書類名】明細書
【補正対象項目名】００１０
【補正方法】変更
【補正の内容】
【００１０】
上記表示装置（２）によれば、前記表示アイテムの使用頻度の絶対値から使用
頻度が高いか否かを容易に判断することができる。
また本発明に係る表示装置（３）は、上記表示装置（２）において、前記表示
アイテムの使用頻度の累計期間が記憶されている累計期間記憶手段と、該累計期
間記憶手段に記憶されている前記表示アイテムの使用頻度の累計期間が経過した
か否かを判断する累計期間経過判断手段と、該累計期間経過判断手段により前記
表示アイテムの使用頻度の累計期間が経過したと判断された場合、前記使用頻度
記憶手段に記憶されている前記表示アイテムの使用頻度の累計デ−タをクリアす
る累計デ−タクリア手段とを備えていることを特徴としている。
【手続補正６】
【補正対象書類名】明細書
【補正対象項目名】００１８
【補正方法】変更
【補正の内容】
【００１８】
また本発明に係る表示装置（７）は、上記表示装置（１）において、前記表示
アイテムの表示形態が記憶されている表示形態記憶手段と、該表示形態記憶手段
から読み出された前記表示アイテムの表示形態の中から使用頻度の高い前記表示
アイテムの表示形態として採用する前記表示アイテムを使用者が選択するための
表示アイテム選択手段と、該表示アイテム選択手段により選択された前記表示ア
イテムを使用頻度の高い前記表示アイテムの表示形態として登録するための表示
アイテム登録手段とを備え、前記表示制御手段が、前記表示アイテム登録手段に
より登録された前記表示アイテムを使用頻度の高い表示アイテムの表示に使用す
るものであることを特徴としている。
【手続補正７】
【補正対象書類名】明細書
【補正対象項目名】００２０
【補正方法】変更
【補正の内容】
【００２０】
また本発明に係る表示装置（８）は、画面上に表示される操作釦及び該操作釦
が格納されるフォルダに対する入力を行うことのできる入力部を備えた表示装置
において、前記操作釦に対する入力に基づく使用頻度に関する情報を記憶する使
用頻度記憶手段と、該使用頻度記憶手段に記憶された前記操作釦の使用頻度に関
する情報に基づいて、前記操作釦の使用頻度が高いか否かを判断する使用頻度判
断手段と、該使用頻度判断手段により使用頻度が高いと判断された前記操作釦を
格納するフォルダを選択して格納するフォルダ格納手段とを備えていることを特
徴としている。
【手続補正８】
【補正対象書類名】明細書
【補正対象項目名】００２２
【補正方法】変更
【補正の内容】
【００２２】
また本発明に係る表示装置（９）は、画面上に表示されるフォルダに対する入
力を行うことのできる入力部を備えた表示装置において、前記フォルダの使用頻
度に関する情報を記憶する使用頻度記憶手段と、該使用頻度記憶手段に記憶され
た前記フォルダの使用頻度に関する情報に基づいて、前記フォルダの使用頻度が
高いか否かを判断する使用頻度判断手段と、該使用頻度判断手段により使用頻度
が高いと判断された前記フォルダを優先して画面上に表示する表示制御手段とを
備えていることを特徴としている。
【手続補正９】
【補正対象書類名】明細書
【補正対象項目名】００２３
【補正方法】変更
【補正の内容】
【００２３】
上記表示装置（９）によれば、使用頻度が高いと判断された前記フォルダが優
先的に表示させるので、使用者が使用頻度の高い前記フォルダを見つけやすくな
り、フォルダを選択する操作の手間を省くことができ、フォルダに格納された操
作釦の入力操作をスム−ズに行うことができる。
また本発明に係る表示装置（１０）は、上記表示装置（１）〜（７）のいずれ
かにおいて、前記表示制御手段は、前記表示アイテムの色、色調濃度、形状、大
きさ、字体のうちの少なくとも何れか一つを変更して表示するものであることを
特徴としている。
上記表示装置（１０）によれば、使用者は、使用頻度が高い前記表示アイテム
を視覚的に容易に認識できるようになり、前記表示アイテムの見分けがつけやす
くなり、入力操作をスム−ズに行うことができる。